(57)【要約】【課題】  薬剤の臭気成分を動的に周囲に拡散させることによって、芳香消臭効果を高める。【解決手段】  モータ１と、モータ１の回転軸１２に装着されて回転駆動される回転部材２と、電池ボックス３と、スイッチ４と、を備える。回転部材２が、臭気成分を含む薬剤を含浸させた機能性材料でなる。吸液性材料がパルプモールドなどの多孔質体でなることが望ましい。回転部材２は、モータ１の回転軸１２に着脱可能で、回転して気流を生じさせる回転翼によって構成することが可能である。回転部材２に、吸着剤を担持させた機能性材料を用いることも可能である。【選択図】        図１
2009011760.tif 000002
【特許請求の範囲】
【請求項１】
モータによって回転駆動される回転部材自体に、臭気成分の拡散作用又は臭気成分の吸着作用を付与してあることを特徴とする芳香消臭器。
【請求項２】
上記回転部材が、上記モータの回転軸に着脱可能で、回転して気流を生じさせる回転翼でなる請求項１に記載した芳香消臭器。
【請求項３】
モータによって回転駆動される回転部材が、臭気成分を含む薬剤を含浸させた機能性材料でなる請求項１又は請求項２に記載した芳香消臭器。
【請求項４】
上記モータと、このモータの回転軸に装着されて回転駆動される上記回転部材と、モータの駆動源としての電池を収容する電池ボックスと、モータの回転の始動と停止とを制御するためのスイッチと、を備えている請求項１ないし請求項３のいずれか１項に記載した芳香消臭器。
【請求項５】
上記機能性材料がパルプモールドなどの多孔質体でなる請求項１ないし請求項４のいずれか１項に記載した芳香消臭器。
【請求項６】
モータによって回転駆動される回転部材が、臭気成分の吸着特性を持つ吸着剤を担持させた機能性材料でなる請求項１又は請求項２に記載した芳香消臭器。
【発明の詳細な説明】
【技術分野】
【０００１】
本発明は、芳香消臭器、詳しくは、薬剤に含まれる臭気成分を強制的に拡散させて室内に芳香を漂わせたり、室内の臭気成分にその室内に拡散させた他の臭気成分を混ぜ合わせて室内を消臭したり、室内の臭気成分を吸着して室内を消臭したりする機能を備えた芳香消臭器に関する。
【背景技術】
【０００２】
従来、消臭成分を紙や木に含浸させておき、その消臭成分を自然蒸発又は自然気流により静的に拡散させて車室内や住宅の居住区室内に芳香を漂わせたり消臭したりするものがあった。また、芳香成分や脱臭成分といった臭気成分を回転翼で発生させた気流で周囲に動的に拡散させるようにした芳香脱臭器も提案されていた（たとえば、特許文献１参照）。さらに、回転翼により発生させた気流を薄膜に担持させた触媒と接触させて空気浄化を行うファン（たとえば、特許文献２参照）や、回転翼により発生させた気流をその回転翼の羽根に担持させてある光触媒に接触させる脱臭装置（たとえば、特許文献３参照）なども提案されていた。
【特許文献１】特開２００１−８７３６８号公報
【特許文献２】特開平９−３８１８９号公報
【特許文献３】特開平１０−２１１２６８号公報
【発明の開示】
【発明が解決しようとする課題】
【０００３】
しかしながら、臭気成分を自然蒸発又は自然気流によって静的に拡散させるものでは、それによって芳香を漂わせる効果や消臭効果を得るのに時間がかかったり、あるいは、それらの効果が限定的にしか現れないという問題があった。
【０００４】
これに対し、臭気成分を回転翼で発生させた気流で周囲に動的に拡散させるようにした特許文献１によって提案されている芳香脱臭器では、気流によって臭気成分が室内などに強制的に運ばれるために芳香又は消臭の効果が短時間で顕著に現れるという利点を有している。しかし、このものは、臭気成分を含む薬剤（芳香剤）をケースに収容しておき、そのケースを通過する気流を回転翼により発生させるというものであったために、薬剤収容部分の少ない表面でしか臭気成分が拡散されないという問題のほか、薬剤を収容するケースが余分に必要になってコスト高になったり、また、芳香脱臭器自体が大形化するという問題があった。
【０００５】
本発明は以上の状況に鑑みてなされたものであり、動的に臭気を拡散させて室内に芳香を漂わせたり、あるいは、室内を消臭したりする場合に、それらの効果を短時間で広い範囲に十分に及ぼすことのできる芳香消臭器を提供することを目的とする。
【課題を解決するための手段】
【０００６】
本発明に係る芳香消臭器は、モータによって回転駆動される回転部材自体に、臭気成分の拡散作用又は臭気成分の吸着作用を付与してある、というものである。また、本発明では、上記回転部材が、上記モータの回転軸に着脱可能で、回転して気流を生じさせる回転翼でなることが特に望ましい。この発明によると、回転部材の回転によって空気に流動性が付与されるため、回転部材自体に付与されている臭気成分の拡散作用や吸着作用が動的的に効率よく行われるようになる。
【０００７】
本発明に係る芳香消臭器は、モータによって回転駆動される回転部材が、臭気成分を含む薬剤を含浸させた機能性材料でなるものであってもよい。この発明によると、回転部材自体に含浸されている薬剤の臭気成分が、モータによって動作される回転部材の回転によって広い範囲から強制的に周囲に拡散して動的な拡散作用が得られ、そのために、臭気の拡散効果が短時間で広い範囲に十分に及ぶようになる。また、臭気成分を含む薬剤を、別途ケースに収容しておくのではなく、回転部材自体に含浸させてあるので、薬剤を収容するケースを設けることが不要になり、それだけコストダウンを図りやすく、しかも、機器の小形化を促進しやすくなる。
【０００８】
本発明に係る芳香消臭器は、上記モータと、このモータの回転軸に装着されて回転駆動される上記回転部材と、モータの駆動源としての電池を収容する電池ボックスと、モータの回転の始動と停止とを制御するためのスイッチと、を備えているものであってもよい。      
【０００９】
この発明において、回転部材を形成している機能性材料には、パルプ材、紙、布、不織布その他の吸液性を呈する材料を適宜用いることができる。特に、上記機能性材料がパルプモールドなどの多孔質体でなることが好ましい。また、回転部材は、回転によって一方向に気流を生じさせる回転翼に限定されず、平坦な円板形や星形、その他の多角形の板状であってもよい。そして、回転部材を回転翼としたものでは、回転部材の回転によって発生した気流がその回転部材に含浸されている薬剤の臭気成分を強制的に拡散させるように作用する。また、回転部材を平坦な板状としたものでは、その回転部材が回転することによって周囲の空気を動かされてその回転部材に含浸されている薬剤の有効成分が強制的に拡散されるようになる。なお、上記有効成分には、芳香を発する香料成分だけでなく、室内の臭気と混ざって消臭作用を発揮する消臭成分も含まれる。
【００１０】
本発明では、モータによって回転駆動される回転部材が、臭気成分の吸着特性を持つ吸着剤を担持させた機能性材料でなるという構成を採用することが可能である。この構成であれば、回転部材の回転に伴って生じる空気の流動性により、その空気に含まれる臭気成分が回転部材に担持されている吸着剤に広い範囲で効率よく接触し、その結果、臭気成分が吸着剤に吸着されて消臭が行われる。
【発明の効果】
【００１１】
本発明によれば、多孔質体などによって形成されている回転翼などの回転部材に含浸されている薬剤の有効成分が、回転部材の回転によって動的に周囲に拡散されるために、機器自体を小形化できるにもかかわらず、動的に臭気を拡散させる場合にその拡散効果を短時間で広い範囲に十分に及ぼすことが可能になる。しかも、薬剤を収容するケースを省略して機器の小形化やコストダウンを図りやすくなるという利点もある。また、吸着剤を用いたものでは、回転部材の回転によって生じる空気の流動によって吸着剤と臭気成分とが効率よく接触して高い消臭効果が奏される。
【００１２】
また、回転部材に臭気成分の吸着作用を付与してあるものでは、回転部材の回転によって生じる空気の流動性によって臭気成分の吸着作用が促進されて効率のよい消臭が行われる。
【発明を実施するための最良の形態】
【００１３】
図１は本発明の実施形態に係る芳香消臭器の概略構成を示した側面図、図２は回転部材２の変形例の一例を示した概略斜視図、図３は回転部材２の他の例を示した概略斜視図、図４は回転部材２のさらに他の例を示した概略斜視図である。
【００１４】
図１に示したように、この実施形態による芳香消臭器は、モータ１と、モータ１の回転軸１２に装着された板状の回転部材２と、モータ１の駆動源としての電池３１を収容する電池ボックス３と、モータ１の回転の始動と停止とを制御するためのスイッチ４と、を備えている。そして、図例の芳香消臭器では、スイッチ４が電池ボックス３に装備されていると共に、モータ１が電池ボックス３に取り付けられている。なお、５は、モータ１、回転部材２、電池ボックス３を収容しているケースであり、このケース５には、通風口（不図示）が備わっている。また、回転部材２は、その中心に取付部２１を有していて、その取付部２１に備わっている孔部２２をモータ１の回転軸１２に嵌脱する操作を通じて、回転軸１２に対して着脱することができるようになっている。このような板状の回転部材２をモータ１の回転軸１２に装着してモータ１を動作させると、回転部材２がその周辺の空気層を動かして空気に流動性を生じさせる。
【００１５】
図２〜図４には回転部材２の変形例を斜視図で示してある。図２に示した回転部材２は、プロペラと呼ばれる軸流型の回転翼でなり、取付部２１の周囲に複数枚の羽根２３を備えている。そして、取付部２１に備わっている孔部（不図示）を上記したモータ１の回転軸１２に対して着脱することが可能である。このような軸流型の回転翼でなる回転部材２をモータ１の回転軸１２に装着してモータ１を動作させると、回転部材２が回転してその軸線に沿う方向の空気流が生じる。
【００１６】
図３に示した回転部材２は、円筒形に形成されたシロッコファンと呼ばれるクロスフロー型の回転翼でなり、取付部２１の周囲に複数枚の羽根２４を備えている。そして、取付部２１に備わっている孔部（不図示）を上記したモータ１の回転軸１２に対して着脱することが可能である。このようなクロスフロー型の回転翼でなる回転部材２をモータ１の回転軸１２に装着してモータ１を動作させると、回転部材２が回転してその軸線を横切る方向の空気流が生じる。
【００１７】
図４に示した回転部材２は、円錐台形状に形成された回転翼でなり、取付部２１の周囲の円錐形の胴部２５に複数枚の羽根２６を備えている。そして、取付部２１に備わっている孔部（不図示）を上記したモータ１の回転軸１２に対して着脱することが可能である。このような回転翼でなる回転部材２をモータ１の回転軸１２に装着してモータ１を動作させると、回転部材２が回転して斜め上方に向く空気流が生じる。
【００１８】
図１の芳香消臭器において、電池３１は電池ボックス３の電池交換口（不図示）を利用して交換することが可能であり、また、スイッチ４の操作つまみ４１を操作することによって、電池３１を駆動源とするモータ１の回転の始動と停止とを制御することが可能である。
【００１９】
図１に示した板状の回転部材２、図２〜図４に示した回転翼でなる回転部材２は、いずれも機能性材料を用いて製作されている。ここで「機能性材料」とは、臭気成分の拡散作用又は臭気成分の吸着作用が付与されていて、回転により自ら空気中に臭気成分を拡散したり空気中の臭気成分を吸着したりする性質を持った材料のことである。
【００２０】
図例の回転部材２には、あらかじめ芳香を拡散したり消臭作用を発揮したりする有効成分を含む薬剤が含浸されているもの、又は、活性炭粉粒体、イオン交換樹脂、固体酸塩基やゼオライトなどのような吸着剤が担持されているものが使用される。そして、臭気成分を含む薬剤が含浸されている回転部材２にあっては、回転部材２がモータ１によって回転駆動されると、それに伴って生じる空気の流動や空気流によって回転部材２に担持されている臭気成分が周囲に強制的に動的に拡散する。また、吸着剤が担持されている回転部材２にあっては、回転部材２がモータ１によって回転駆動されると、それに伴って生じる空気の流動や空気流によって回転部材２に担持されている吸着剤に空気中の臭気成分が効率よく吸着する。また、モータ１によって回転駆動される回転部材２の回転速度を変化させたりすると、空気流動の動的な拡散領域を縮小したり拡大したりすることかできるほか、香料成分が拡散することによる芳香が漂う作用や、消臭成分が拡散することによる消臭作用や、吸着剤が臭気成分を吸着することによる消臭作用が現れる時間を増減調節することも可能になる。
【００２１】
この芳香消臭器において、回転部材２に含浸されている薬剤の消臭成分が拡散してしまって芳香消臭効果が十分に発揮されなくなったときや、回転部材に担持されている吸着剤による吸着性能が十分に発揮されなくなったときには、それまで使用していた回転部材２をモータ１の回転軸１２から取り外して廃棄し、それに代えて、消臭成分を含む薬剤を十分に含浸している回転部材２又は吸着剤を十分に担持させた回転部材２をモータ１の回転軸１２に装着して使用すればよい。また、それまで使用していた回転部材２をモータ１の回転軸１２から取り外し、消臭成分を含む薬剤を含浸しなおしたり、吸着剤を担持しなおしたりして再びモータ１の回転軸１２に装着して使用することも可能である。
【００２２】
上記回転部材２に用いられている機能性材料には、パルプ材、紙、布、不織布その他の吸液性を呈する多孔質体を適宜用いることができ、また、その回転部材２の全体、すなわち図１の回転部材２では取付部２１を含めた全体、図２〜図４の回転部材２では、取付部２１と羽根２３，２４，２６などを一体に製作しておくことが製作コストを安く押さえる上で望ましい。
【００２３】
特に、使い捨てられることが想定されている回転部材２の場合には、上記機能性材料として、古紙リサイクル製品としてのパルプモールドを好適に使用することができる。このパルプモールドは、その一体成形品が各種工業製品の梱包緩衝材と用いられているほか、鶏卵容器などにも用いられている。また、このパルプモールドは、金型を用いて種々の形状に容易に一体成形することができる上、臭気成分を含む薬剤の吸収能力や保液能力、さらには吸着剤の担持能力に優れているために、上記した回転部材２の取付部２１や羽根２３，２４，２６などを低コストで一体成形することが可能であって、長期間に亘る使用が可能であるという利点を持っているだけでなく、成形品が軽量であるために、図１に示したモータ１に装着して回転させるときに、モータ１に加わる負荷を低く抑えて電池寿命を長く保つことが可能になるという利点も備えている。さらに、使用後の回転部材２を焼却・廃棄処分したり再生利用工程に供給することも可能であるという利点もある。
【図面の簡単な説明】
【００２４】
【図１】本発明の実施形態に係る芳香消臭器の概略構成を示した側面図である。
【図２】回転部材の変形例の一例を示した概略斜視図である。
【図３】回転部材の他の例を示した概略斜視図である。
【図４】回転部材のさらに他の例を示した概略斜視図である。
【符号の説明】
【００２５】
１  モータ
２  回転部材
３  電池ボックス
４  スイッチ
１２  モータの回転軸
３１  電池
【図１】
2009011760.tif 000003
【図２】
2009011760.tif 000004
【図３】
2009011760.tif 000005
【図４】
2009011760.tif 000006